(57)【要約】【課題】表示パネルの変形を抑制するとともに、表示画面の周縁部における光漏れを防止する。【解決手段】表示パネルのパネル額縁部の表面側に当接する緩衝部材（１３）は、遮光性を有する部材からなり、かつ、矩形形状の表示領域の各辺のうちの少なくとも一部の辺に沿う部分が当該辺の略全域に沿って延伸しており、裏面側から当接する緩衝部材（１４）は上記矩形形状の各辺のうちの少なくとも一部の辺に沿う部分が当該辺の両端部を除く範囲に沿って延伸している。【選択図】図６
2015148725.tif 000002
【特許請求の範囲】
【請求項１】
略矩形形状の表示領域と当該表示領域の周囲の領域であるパネル額縁部とを有する表示パネルと、上記パネル額縁部に対して表面側から当接する第１緩衝部材および裏面側から当接する第２緩衝部材とを備え、これら両緩衝部材を介して上記表示パネルが挟持された表示装置であって、
上記第１緩衝部材および上記第２緩衝部材は、上記矩形形状の各辺に沿って延伸しており、
上記第１緩衝部材は、遮光性を有する部材からなり、かつ、上記矩形形状の各辺のうちの少なくとも一部の辺に沿う部分が当該辺の略全域に沿って延伸しており、
上記第２緩衝部材は、上記矩形形状の各辺のうちの少なくとも一部の辺に沿う部分が当該辺の両端部を除く範囲に沿って延伸していることを特徴とする表示装置。
【請求項２】
上記パネル額縁部における上記矩形形状の各辺に対応する領域のうちの一部の領域は、当該領域に対応する辺に垂直な方向の幅が他の領域における当該他の領域に対応する辺に垂直な方向の幅よりも狭くなっており、
上記幅が他の領域よりも狭い領域に配置される上記第１緩衝部材は、当該領域に対応する上記辺の略全域に沿って延伸していることを特徴とする請求項１に記載の表示装置。
【請求項３】
上記第１緩衝部材は、上記矩形形状の各辺のうちの一部の辺に沿う部分が当該辺の略全域に沿って延伸しており、他の辺に沿う部分が当該辺の両端部を除く範囲に沿って延伸していることを特徴とする請求項１または２に記載の表示装置。
【請求項４】
上記第１緩衝部材は、上記矩形形状の各辺に沿う部分が当該各辺の略全域に沿って延伸していることを特徴とする請求項１または２に記載の表示装置。
【請求項５】
上記第２緩衝部材は、上記第１緩衝部材が上記矩形形状の辺の略全域に沿って延伸している部分では、当該辺の両端部を除く範囲に沿って延伸していることを特徴とする請求項１から４のいずれか１項に記載の表示装置。
【発明の詳細な説明】
【技術分野】
【０００１】
本発明は、表示パネルを有する表示装置に関するものである。
【背景技術】
【０００２】
従来、表示パネルの周縁部を表面側および裏面側から挟持することにより上記表示パネルを保持する構成の表示装置が知られている。
【０００３】
また、この種の表示装置においては、表示パネルの反りや表示パネルを支持するフレームの変形等により、表示パネルとフレームとの間に互いに強く接触する部分が生じ、表示ムラが生じる場合があることが知られている。特に、表示装置を大型化および薄型化した場合、表示パネルの自重の影響等により表示パネルの反りが発生しやすい。
【０００４】
このような表示パネルの反りやフレームの変形に起因する表示ムラを抑制するための技術として、例えば特許文献１には、矩形の液晶パネルの四隅部分を避けた他の部分でフレームが液晶パネルを挟持し、四隅部分はフレームで挟持されない構成の液晶表示装置が開示されている。
【０００５】
すなわち、特許文献１の技術では、液晶パネルの反りやフレームの変形等によって液晶パネルとフレームとの間に生じる応力が液晶パネルの四隅部分に集中することに着目し、当該部分を避けて液晶パネルを挟持することで応力の集中、およびそれに起因する表示ムラの抑制が図られている。
【先行技術文献】
【特許文献】
【０００６】
【特許文献１】特開２０１３−１６４４６６号公報（２０１３年８月２２日公開）
【発明の概要】
【発明が解決しようとする課題】
【０００７】
しかしながら、上記特許文献１の技術では、液晶パネルの四隅部分において液晶パネルとフレームとの間に隙間が形成されるため、特にフレームの額縁部の幅が狭い場合などに、上記四隅部分において液晶パネルとフレームとの間から光漏れが生じてしまうという問題がある。
【０００８】
図９は、液晶パネルの四隅部分において生じる液晶パネルとフレームとの間からの光漏れを示す説明図である。なお、図９の構成は、上記の光漏れを説明するために本願発明者が考案した構成であって、公知技術を示すものではない。
【０００９】
図９の（ａ）に示すように、液晶パネルＰにおける表示領域の周囲の領域であるパネル額縁部の幅ＷＰ、およびフレームＦにおける表示領域の周囲の領域であるフレーム額縁部の幅ＷＦが比較的広い場合、フレームＦと液晶パネルＰとの重畳領域の幅ＷＰＦが広いため、表示装置内の明るい領域からの光（例えばバックライトユニットから液晶パネルに入射せずに表示装置内に拡散された光など）はフレームと液晶パネルとの重畳領域で遮断されるため、表示装置の外部にはほとんど漏れない。
【００１０】
ところが、図９の（ｂ）に示すように、パネル額縁部の幅ＷＰおよびフレーム額縁部の幅ＷＦが狭い場合、フレームＦと液晶パネルＰとの重畳領域の幅ＷＰＦが狭いため、表示装置内の明るい領域からの光がフレームと液晶パネルとの間から外部に漏れてしまう。
【００１１】
本発明は、上記の問題点に鑑みてなされたものであり、その目的は、表示装置の変形に起因する表示ムラを抑制するとともに、表示画面の周縁部において表示装置内からの光漏れが生じることを防止することにある。
【課題を解決するための手段】
【００１２】
上記の課題を解決するために、本発明の一態様に係る表示装置は、略矩形形状の表示領域と当該表示領域の周囲の領域であるパネル額縁部とを有する表示パネルと、上記パネル額縁部に対して表面側から当接する第１緩衝部材および裏面側から当接する第２緩衝部材とを備え、これら両緩衝部材を介して上記表示パネルが挟持された表示装置であって、上記第１緩衝部材および上記第２緩衝部材は、上記矩形形状の各辺に沿って延伸しており、上記第１緩衝部材は、遮光性を有する部材からなり、かつ、上記矩形形状の各辺のうちの少なくとも一部の辺に沿う部分が当該辺の略全域に沿って延伸しており、上記第２緩衝部材は、上記矩形形状の各辺のうちの少なくとも一部の辺に沿う部分が当該辺の両端部を除く範囲に沿って延伸していることを特徴としている。
【発明の効果】
【００１３】
上記の本発明の一態様にかかる表示装置によれば、第１緩衝部材は、遮光性を有する部材からなり、かつ、上記矩形形状の各辺のうちの少なくとも一部の辺に沿う部分が当該辺の略全域に沿って延伸している。これにより、第１緩衝部材が上記矩形形状の辺の略全域に沿って延伸している部分において光漏れが生じることを防止できる。また、第２緩衝部材は、上記矩形形状の各辺のうちの少なくとも一部の辺に沿う部分が当該辺の両端部を除く範囲に沿って延伸している。すなわち、上記両端部に対向する領域には第２緩衝部材が設けられていない。これにより、表示パネルの自重、熱収縮、振動等に起因して当該表示パネルの角部に作用する外力を緩和し、表示パネルのズレやセル厚の変化に起因する表示品位の低下を防止できる。
【図面の簡単な説明】
【００１４】
【図１】本発明の実施形態１に係る表示装置の外観を示す説明図である。
【図２】図１に示したＡ−Ａ断面の断面図である。
【図３】図１に示したＢ−Ｂ断面の断面図である。
【図４】図１に示したＣ−Ｃ断面の断面図である。
【図５】図１に示したＤ−Ｄ断面の断面図である。
【図６】図１に示した表示装置に備えられる緩衝部材の構成を示す断面図であり、（ａ）は表示パネルの表面側に当接する緩衝部材、（ｂ）は表示パネルの裏面側に当接する緩衝部材を示している。
【図７】実施形態２に係る表示装置に備えられる緩衝部材の構成を示す断面図であり、（ａ）は表示パネルの表面側に当接する緩衝部材、（ｂ）は表示パネルの裏面側に当接する緩衝部材を示している。
【図８】実施形態３に係る表示装置に備えられる緩衝部材の構成を示す断面図であり、（ａ）は表示パネルの表面側に当接する緩衝部材、（ｂ）は表示パネルの裏面側に当接する緩衝部材を示している。
【図９】液晶パネルの四隅部分において生じる液晶パネルとフレームとの間からの光漏れを示す説明図である。
【発明を実施するための形態】
【００１５】
〔実施形態１〕
本発明の一実施形態について説明する。
【００１６】
図１は、本実施形態にかかる表示装置１００の外観を示す説明図である。この図に示すように、表示装置１００は、表示パネル１０、フレーム２０、および台座３０を備えている。
【００１７】
表示パネル１０は、表示面法線方向から見た形状が略矩形形状であり、画像データに応じた画像を略矩形形状の表示領域に表示させる。表示パネル１０の構成は特に限定されるものではなく、従来から公知の表示パネルを用いることができる。本実施形態では、表示パネル１０として、裏面側から入射した光の透過率を画素毎に制御することにより表面側から出射される光の輝度を画素毎に制御して表示を行う透過型の液晶表示パネルを用いている。
【００１８】
フレーム２０は、表示パネル１０の周縁部（略矩形形状の表示領域の周囲を取り囲むように設けられた非表示領域であるパネル額縁部）の一部を覆うように配置されている。なお、本実施形態では、詳細は後述するが、フレーム２０と、表示装置１００内に設けられたパネル支持部材２２（後述する図２〜図５参照）とが第１緩衝部材１３および第２緩衝部材１４（後述する図２〜図５参照）を介して表示パネル１０の周縁部を挟持して支持するようになっている。
【００１９】
第１緩衝部材１３の材質は、可視光に対する遮光性と緩衝部材に適した弾力性とを有する材質であればよく、従来から公知の材料を用いることができる。また、第２緩衝部材１４の材質は、緩衝部材に適した弾力性を有する材質であればよく、従来から公知の材料を用いることができる。本実施形態では、第１緩衝部材１３および第２緩衝部材１４として、ロジャースイノアック社製のマイクロセルポリマーシート（ＰＯＲＯＮ（登録商標））を用いている。
【００２０】
フレーム２０の材質は、表示パネル１０を支持できる程度の強度を有する材質であれば特に限定されるものではないが、本実施形態ではアルミニウム製のフレームを用いている。
【００２１】
台座３０は、床あるいは設置台等の載置面上に載置され、表示パネル１０およびフレーム２０を支持する。なお、本実施形態では、図１に示したように、表示パネル１０の矩形形状の２組の対辺のうち、長辺側の対辺が鉛直方向上側および下側に配置され、短辺側の対辺が水平方向両側に配置されるようになっている。
【００２２】
また、本実施形態では、表示パネル１０を表示面法線方向から見たときに、フレーム２０における表示領域の水平方向両側の部分（フレーム額縁部）の幅ＷＸ１，ＷＸ２が、表示領域の上側部分（フレーム額縁部）の幅ＷＹ１および下側部分の幅ＷＹ２よりも狭くなっている。
【００２３】
図２は図１に示したＡ−Ａ断面の断面図であり、図３は図１に示したＢ−Ｂ断面の断面図であり、図４は図１に示したＣ−Ｃ断面の断面図であり、図５は図１に示したＤ−Ｄ断面の断面図である。
【００２４】
図２〜図５に示したように、表示装置１００は、表示パネル１０、フレーム２０、補強アングル２１、パネル支持部材２２、およびバックライトユニット４０を備えている。また、バックライトユニット４０は、光源ユニット４１、導光板４２、反射シート４３、バックライトシャーシ４４、および放熱板４５を備えている。
【００２５】
フレーム２０および補強アングル２１は、表示装置１００のメインボディ（図示せず）に取り付けられている。補強アングル２１は、適度な剛性を有するものであれば特に限定されるものではないが、本実施形態では鉄製の補強アングルを用いている。
【００２６】
パネル支持部材２２および放熱板４５は補強アングル２１に取り付けられている。パネル支持部材２２の材質は特に限定されないが、本実施形態ではプラスチック製の支持部材を用いている。また、放熱板４５は、熱伝導性の高い材質であれば特に限定されるものではないが、本実施形態ではアルミニウム製の放熱板を用いている。
【００２７】
導光板４２は表示パネル１０の裏面に対向して配置されており、反射シート４３は導光板４２における表示パネル１０との対向面とは反対側の面に貼り付けられている。また、バックライトシャーシ４４は、反射シート４３に対して導光板４２が配置されている側とは反対側に配置されており、導光板４２および反射シート４３を支持している。バックライトシャーシ４４の材質は、適度な剛性を有するものであれば特に限定されるものではないが、本実施形態では鉄製の部材を用いている。また、導光板４２および反射シート４３の構成は特に限定されるものではなく、従来から公知のものを用いることができる。
【００２８】
また、放熱板４５は、その一部がバックライトシャーシ４４の裏面（導光板４２および反射シート４３が配置されている側とは反対側）に当接しており、パネル支持部材２２は緩衝部材（スペーサ）２３を介して導光板４２の表面側（表示パネル１０が配置されている側）に当接している。これにより、導光板４２、反射シート４３、およびバックライトシャーシ４４は放熱板４５とパネル支持部材２２とに挟持されて支持されている。
【００２９】
光源ユニット４１は、図３および図５に示すように、矩形形状を構成する２組の対辺のうち長辺側の各辺に沿って延伸するように設けられている。本実施形態では、光源ユニット４１として、上記長辺方向に沿って配置された多数のＬＥＤ（Light Emitting Diode；発光ダイオード）を有する光源ユニットを用いている。
【００３０】
なお、本実施形態では、矩形形状を構成する２組の対辺のうち短辺側の各辺に沿う位置には光源ユニット４１を設けておらず、長辺側の各辺に沿う位置に光源ユニット４１を配置している。
【００３１】
また、本実施形態では、上記矩形形状の短辺側に対応するフレーム２０（フレーム額縁部）の幅ＷＸ１，ＷＸ２を長辺側の幅ＷＹ１，ＷＹ２よりも狭くしている。同様に、上記矩形形状の短辺側に対応する表示パネル１０の周縁部（パネル額縁部）の幅ＷＰＸ１，ＷＰＸ２についても長辺側の幅ＷＰＹ１，ＷＰＹ２よりも狭くしている。このため、表示パネル１０を表示面法線方向から見たときにフレーム２０と表示パネル１０とが重畳する重畳領域の幅は、短辺側の幅ΔＷＸ１，ΔＷＸ２の方が長辺側の幅ΔＷＹ１，ΔＷＹ２よりも狭くなっている。なお、短辺側の各辺同士の幅ΔＷＸ１，ΔＷＸ２は互いに異なっていてもよい。同様に、長辺側の各辺同士の幅ΔＷＹ１，ΔＷＹ２は互いに異なっていてもよい。
【００３２】
表示パネル１０におけるバックライトユニット４０側の面には、複数の光学シート（例えば偏光フィルム、カラーフィルタなど）からなるシート群１１が配置されており、シート群１１は緩衝部材（スペーサ）２４を介してパネル支持部材２２に当接している。また、表示パネル１０の表示領域内には多数の画素（図示せず）がマトリックス状に形成されており、表示領域の周縁部（パネル額縁部）にはバックライトユニット４０から入射した光を遮光するブラックマトリクス１２が表示領域の周囲を覆うように設けられている。また、フレーム２０の端部は、表示パネル１０の矩形形状の各辺に対応する領域において、表示面法線方向から見たときにブラックマトリクス１２と重畳する領域まで延伸している。また、第１緩衝部材１３は、当該第１緩衝部材１３の少なくとも一部が表示面法線方向から見たときにブラックマトリクス１２と重畳する位置に配置されている。
【００３３】
また、表示パネル１０の周縁部における表面側は第１緩衝部材１３を介してフレーム２０に当接しており、裏面側は第２緩衝部材１４を介してパネル支持部材２２に当接している。これにより、表示パネル１０は、フレーム２０とパネル支持部材２２とによって第１緩衝部材１３および第２緩衝部材１４を介して挟持され、支持されている。
【００３４】
画像表示時には、光源ユニット４１から出射された導光板４２の側端面から導光板４２内に入射し、反射シート４３で反射するなどして導光板４２から表示パネル１０へ向けて出射される。表示パネル１０には多数の画素が設けられており、それら各画素に封入されている液晶分子の配向状態が図示しない表示制御部によって画像データに応じて制御される。これにより、バックライトユニット４０から入射して表示パネル１０を透過する光の輝度が画素毎に制御され、画像データに応じた画像が表示される。
【００３５】
また、光源ユニット４１において生じる熱は、放熱板４５によってバックライトユニット４０の裏面側（表示パネル１０が備えられている側とは反対側）の領域で放熱される。これにより、光源ユニット４１で生じた熱に起因する表示パネル１０およびシート群１１の温度変化を抑制し、上記温度変化によって表示パネル１０が変形することを防止している。
【００３６】
図６の（ａ）は第１緩衝部材１３（フレーム２０と表示パネル１０との間に配置される緩衝部材）の表示面法線方向から見た形状を示す説明図であり、図６の（ｂ）は第２緩衝部材１４（表示パネル１０とパネル支持部材２２との間に配置される緩衝部材）の表示面法線方向から見た形状を示す説明図である。
【００３７】
図６の（ａ）に示すように、第１緩衝部材１３は、表示パネル１０の矩形形状の表示領域における各辺に沿って延伸しており、上記矩形形状の２組の対辺（短辺側の対辺および長辺側の対辺）のうち、短辺側の対辺に沿う部分は当該対辺の各辺の略全域に沿って延伸しており、長辺側の対辺に沿う部分は該対辺の各辺の両端部を除く部分に沿って延伸している。
【００３８】
また、図６の（ｂ）に示すように、第２緩衝部材１４は、表示パネル１０の矩形形状の表示領域における各辺の両端部を除く部分に沿って延伸している。
【００３９】
具体的には、本実施形態における表示パネル１０の表示領域のサイズは長辺側１５３９ｍｍ、短辺側８６６ｍｍである。そして、第１緩衝部材１３は、短辺側については表示領域の略全域に沿うように配置されており、長辺側については表示領域の両端から１００ｍｍの範囲には設けられておらず、中央部の１３３９ｍｍの部分に沿うように配置されている。また、第２緩衝部材１４は、短辺側については表示領域の両端から５０ｍｍの範囲には設けられておらず、中央部の７６６ｍｍの部分に沿うように配置されており、長辺側については表示領域の両端から１００ｍｍの範囲には設けられておらず、中央部の１３３９ｍｍの部分に沿うように配置されている。
【００４０】
これにより、図２および図３に示したように、表示パネル１０における矩形形状の表示領域の各辺の中央部に沿う位置では第１緩衝部材１３および第２緩衝部材１４の両方が配置されている。また、上記矩形形状の短辺側の辺における両端部近傍（矩形形状の角部近傍）では、第１緩衝部材１３が配置されている一方、第２緩衝部材１４は配置されていない。また、上記矩形形状の長辺側の辺における両端部近傍（矩形形状の角部近傍）では、第１緩衝部材１３および第２緩衝部材１４は配置されていない。
【００４１】
以上のように、本実施形態にかかる表示装置１００は、フレーム２０とパネル支持部材２２とが第１緩衝部材１３および第２緩衝部材１４を介して表示パネル１０を挟持する構成であって、パネル額縁部とフレーム額縁部の重畳領域の当該重畳領域に対応する辺に垂直な方向の幅は、矩形形状の長辺側よりも短辺側の方が狭くなっている。また、フレーム２０と表示パネル１０との間に配置される第１緩衝部材１３、および表示パネル１０とパネル支持部材２２との間に配置される第２緩衝部材１４は、上記矩形形状の各辺に沿って延伸している。また、第１緩衝部材１３は遮光性を有する部材からなり、かつ、上記矩形形状の２組の対辺のうちの短辺側の対辺に沿う部分が当該対辺の各辺の略全域に沿って延伸している。また、第２緩衝部材１４は、上記矩形形状の各辺の両端部を除く部分に沿って延伸している。
【００４２】
これにより、上記矩形形状の短辺側ではパネル額縁部とフレーム額縁部との重畳領域の幅が狭いために表示パネル１０とフレーム２０との間から光漏れが生じやすいが、短辺側の各辺の略全域に沿うように第１緩衝部材１３が配置されているので、光漏れを防止できる。
【００４３】
なお、上記矩形形状の長辺部分に対応する領域では、パネル額縁部とフレーム額縁部の重畳領域の幅が比較的広く設定されている。このため、上記長辺部分の両端部に対応する領域には第１緩衝部材１３が設けられていないが、上述した図９の（ａ）の場合と同様、フレーム２０と表示パネル１０との間からの光漏れはほとんど生じない。
【００４４】
また、第２緩衝部材１４は、上記矩形形状の各辺の両端部を除く部分に対向して延伸している。これにより、表示パネル１０の自重、熱収縮、振動等に起因して当該表示パネル１０の角部に作用する外力を緩和し、表示パネル１０のズレやセル厚の変化に起因する表示品位の低下を防止できる。すなわち、表示パネル１０の自重や熱収集等に起因する反りや歪が生じると、表示パネル１０の角部に応力が集中し、当該角部で表示パネル１０が強く押されてセル厚の変化や偏光板の変形が生じ、当該角部近傍で黒表示時に白抜けが生じる等の表示品位の低下が起こる場合がある。これに対して、本実施形態にかかる表示装置１００では、表示パネル１０の角部に作用する外力を緩和し、表示パネル１０のズレやセル厚の変化に起因する表示品位の低下を防止できる。
【００４５】
〔実施形態２〕
本発明の他の実施形態について説明する。なお、説明の便宜上、実施形態１と同じ機能を有する部材には実施形態１と同じ符号を付し、その説明を省略する。
【００４６】
図７の（ａ）は本実施形態にかかる表示装置１００における第１緩衝部材１３の表示面法線方向から見た形状を示す説明図であり、図７の（ｂ）は第２緩衝部材１４の表示面法線方向から見た形状を示す説明図である。
【００４７】
図７の（ａ）に示したように、本実施形態では、第１緩衝部材１３が、矩形形状の表示領域の各辺の略全域に沿って延伸している点が実施形態１と異なる。その他の構成は実施形態１と同様である。
【００４８】
なお、第１緩衝部材１３における、矩形形状の表示領域の長辺に沿う部分と短辺に沿う部分との間には、各部の寸法公差等を考慮した微小な隙間が設けられている。すなわち、第１緩衝部材１３は、矩形形状の辺毎に分割されている。ただし、これに限らず、第１緩衝部材１３は、矩形形状の周方向に沿って一体的に形成されていてもよい。
【００４９】
以上のように、本実施形態では、矩形形状の表示領域の短辺側だけでなく長辺側においても、当該辺の略全域に沿って第１緩衝部材１３が配置されている。これにより、実施形態１と略同様の効果に加えて、表示領域の長辺側におけるフレーム２０と表示パネル１０との間から光漏れが生じることをより確実に防止できる。
【００５０】
また、表示領域の周囲の略全域に沿って第１緩衝部材１３が配置されているので、フレーム２０と表示パネル１０との間から粉塵、埃、虫等が表示装置１００内に侵入することを適切に防止できる。
【００５１】
また、表示領域の周囲の略全域に沿って第１緩衝部材１３を配置することにより、フレーム２０と表示パネル１０との重畳領域（表示面法線方向から見て重畳する領域）の幅を長辺側および短辺側の両方について狭くした場合であっても、フレーム２０と表示パネル１０との間から光漏れが生じることを確実に防止することができる。
【００５２】
〔実施形態３〕
本発明の他の実施形態について説明する。なお、説明の便宜上、上述した実施形態と同じ機能を有する部材には当該実施形態と同じ符号を付し、その説明を省略する。
【００５３】
図８の（ａ）は本実施形態にかかる表示装置１００における第１緩衝部材１３の表示面法線方向から見た形状を示す説明図であり、図８の（ｂ）は第２緩衝部材１４の表示面法線方向から見た形状を示す説明図である。
【００５４】
図８の（ｂ）に示したように、本実施形態では、第２緩衝部材１４が、矩形形状の表示領域の２組の対辺のうち、長辺側の対辺に対応する部分が当該対辺の各辺の略全域に沿って延伸しており、短辺側の対辺に対応する部分が当該対辺の各辺の両端部を除く部分に沿って延伸している点が実施形態１と異なる。その他の構成は実施形態１と同様である。
【００５５】
以上のように、本実施形態では、矩形形状の表示領域の各辺における両端部近傍（矩形形状の角部近傍）では、第１緩衝部材１３および第２緩衝部材１４の一方が配置され、他方は配置されていない。すなわち、第１緩衝部材１３が矩形形状の辺の両端部まで延伸している部分では第２緩衝部材１４が設けられておらず、第２緩衝部材１４が矩形形状の辺の両端部まで延伸している部分では第１緩衝部材１３が設けられていない。
【００５６】
このため、表示パネル１０における矩形形状の角部近傍は、フレーム２０（第１緩衝部材１３）とパネル支持部材２２（第２緩衝部材１４）とに挟持されてない。これにより、表示パネル１０の自重、熱収縮、振動等に起因して当該表示パネル１０の角部に作用する外力を緩和し、表示パネル１０のズレやセル厚の変化に起因する表示品位の低下を防止することができる。
【００５７】
なお、上述した実施形態で示した表示パネル１０の各部の寸法は一実施例にすぎず、適宜変更してもよい。
【００５８】
また、本実施形態では、矩形形状の表示領域の長辺側を鉛直方向の上側および下側に配置し、短辺側を水平方向両側に配置しているが、これに限るものではない。例えば、矩形形状の表示領域の長辺側を水平方向両側に配置し、短辺側を鉛直方向の上側および下側に配置してもよい。あるいは、矩形形状の表示領域の各辺が鉛直方向および水平方向に対して斜めになるように配置してもよい。
【００５９】
なお、上述した配置形態のいずれの場合であっても、矩形形状の各辺のうち、フレーム２０と表示パネル１０との重畳領域の幅が他の辺よりも狭い辺（あるいは上記重畳領域の幅が第１緩衝部材１３を設けない場合に光漏れが生じてしまう幅である辺）において、第１緩衝部材１３を当該辺の略全域に沿って延伸するように配置することが好ましい。これにより、上記重畳領域の幅が狭い辺であっても光漏れを適切に防止することができる。
【００６０】
また、上記の各実施形態では、表示領域の矩形形状の対辺のうちの短辺側の両辺においてフレーム２０と表示パネル１０との重畳領域の幅が狭い構成について説明したが、これに限るものではない。例えば、表示領域の矩形形状の各辺のうち、１つ以上の辺における上記重畳領域の幅が狭い構成としてもよく、その場合には上記幅が狭い各辺において第１緩衝部材１３が当該辺の略全域に沿って延伸する構成とすればよい。
【００６１】
また、上記の各実施形態では、本発明を、表示パネルを備えた表示装置に適用する場合の実施例について説明したが、これに限るものではない。本発明は、例えば、表示パネルに代えて、プラズマディスプレイパネル、あるいは有機ＥＬ表示パネルを備えた表示装置に適用することもできる。
【００６２】
〔まとめ〕
本発明の態様１にかかる表示装置（１００）は、略矩形形状の表示領域と当該表示領域の周囲の領域であるパネル額縁部とを有する表示パネル（１０）と、上記パネル額縁部に対して表面側から当接する第１緩衝部材（１３）および裏面側から当接する第２緩衝部材（１４）とを備え、これら両緩衝部材（１３，１４）を介して上記表示パネル（１０）が挟持された表示装置（１００）であって、上記第１緩衝部材（１３）および上記第２緩衝部材（１４）は、上記矩形形状の各辺に沿って延伸しており、上記第１緩衝部材（１３）は、遮光性を有する部材からなり、かつ、上記矩形形状の各辺のうちの少なくとも一部の辺に沿う部分が当該辺の略全域に沿って延伸しており、上記第２緩衝部材（１４）は、上記矩形形状の各辺のうちの少なくとも一部の辺に沿う部分が当該辺の両端部を除く範囲に沿って延伸していることを特徴としている。
【００６３】
上記の構成によれば、第１緩衝部材（１３）は、遮光性を有する部材からなり、かつ、上記矩形形状の各辺のうちの少なくとも一部の辺に沿う部分が当該辺の略全域に沿って延伸している。これにより、第１緩衝部材（１３）が上記矩形形状の辺の略全域に沿って延伸している部分において光漏れが生じることを防止できる。また、第２緩衝部材（１４）は、上記矩形形状の各辺のうちの少なくとも一部の辺に沿う部分が当該辺の両端部を除く範囲に沿って延伸している。すなわち、上記両端部に対向する領域には第２緩衝部材（１４）が設けられていない。これにより、表示パネル（１０）の自重、熱収縮、振動等に起因して当該表示パネル（１０）の角部に作用する外力を緩和し、表示パネル（１０）のズレやセル厚の変化に起因する表示品位の低下を防止できる。
【００６４】
本発明の態様２にかかる表示装置（１００）は、上記態様１において、上記パネル額縁部における上記矩形形状の各辺に対応する領域のうちの一部の領域は、当該領域に対応する辺に垂直な方向の幅が他の領域における当該他の領域に対応する辺に垂直な方向の幅よりも狭く、上記幅が他の領域よりも狭い領域に配置される上記第１緩衝部材（１３）は、当該領域に対応する上記矩形形状の辺の略全域に沿って延伸している構成である。
【００６５】
パネル額縁部の幅が狭い部分では表示装置（１００）内からの光漏れが特に生じやすいが、上記の構成によれば当該部分において光漏れが生じることを適切に防止できる。
【００６６】
本発明の態様３にかかる表示装置（１００）は、上記態様１または２において、上記第１緩衝部材（１３）は、上記矩形形状の各辺のうちの一部の辺に沿う部分が当該辺の略全域に沿って延伸しており、他の辺に沿う部分が当該辺の両端部を除く範囲に沿って延伸している構成である。
【００６７】
上記の構成によれば、第１緩衝部材（１３）が上記矩形形状の辺の略全域に沿って延伸している部分において、光漏れが生じることを防止できる。
【００６８】
本発明の態様４にかかる表示装置（１００）は、上記態様１または２において、上記第１緩衝部材（１３）は、上記矩形形状の各辺に沿う部分が当該各辺の略全域に沿って延伸している構成である。
【００６９】
上記の構成によれば、表示領域の略全周において光漏れが生じることを防止できる。
【００７０】
本発明の態様５にかかる表示装置（１００）は、上記態様１から４のいずれかにおいて、上記第２緩衝部材（１４）は、上記第１緩衝部材（１３）が上記矩形形状の辺の略全域に沿って延伸している部分では、当該辺の両端部を除く範囲に沿って延伸している構成である。
【００７１】
上記の構成によれば、第１緩衝部材（１３）が上記矩形形状の辺の略全域に沿って延伸している部分では、当該辺の両端部に第２緩衝部材（１４）が設けられていない。これにより、表示パネル（１０）の自重、熱収縮、振動等に起因して当該表示パネル（１０）の角部に作用する外力を緩和し、表示パネル（１０）のズレやセル厚の変化に起因する表示品位の低下を防止できる。
【００７２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７３】
本発明は、表示パネルを有する表示装置に利用することができる。
【符号の説明】
【００７４】
１０  表示パネル
１１  シート群
１２  ブラックマトリクス
１３  第１緩衝部材
１４  第２緩衝部材
２０  フレーム
２１  補強アングル
２２  パネル支持部材
２３，２４  緩衝部材
３０  台座
４０  バックライトユニット
４１  光源ユニット
４２  導光板
４３  反射シート
４４  バックライトシャーシ
４５  放熱板
１００  表示装置
ＷＸ１，ＷＸ２，ＷＹ１，ＷＹ２  フレーム額縁部の幅
ＷＰＸ１，ＷＰＸ２，ＷＰＹ１，ＷＰＹ２  パネル額縁部の幅
ΔＷＸ１，ΔＷＸ２，ΔＷＹ１，ΔＷＹ２  フレーム額縁部とパネル額縁部の重畳領域の幅
【図１】
2015148725.tif 000003
【図２】
2015148725.tif 000004
【図３】
2015148725.tif 000005
【図４】
2015148725.tif 000006
【図５】
2015148725.tif 000007
【図６】
2015148725.tif 000008
【図７】
2015148725.tif 000009
【図８】
2015148725.tif 000010
【図９】
2015148725.tif 000011
【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
略矩形形状の表示領域と当該表示領域の周囲の領域であるパネル額縁部とを有する表示パネルと、上記パネル額縁部に対して表面側から当接する第１緩衝部材および裏面側から当接する第２緩衝部材とを備え、これら両緩衝部材を介して上記表示パネルが挟持された表示装置であって、
上記第１緩衝部材および上記第２緩衝部材は、上記矩形形状の各辺に沿って延伸しており、
上記第１緩衝部材は、遮光性を有する部材からなり、かつ、上記矩形形状の各辺のうちの少なくとも一部の辺に沿う部分が当該辺の略全域に沿って延伸しており、
上記第２緩衝部材は、上記矩形形状の各辺のうちの少なくとも一部の辺に沿う部分が当該辺の両端部を除く範囲に沿って延伸しており、
上記パネル額縁部における上記矩形形状の各辺に対応する領域のうちの一部の領域は、当該領域に対応する辺に垂直な方向の幅が他の領域における当該他の領域に対応する辺に垂直な方向の幅よりも狭くなっており、
上記幅が他の領域よりも狭い領域に配置される上記第１緩衝部材は、当該領域に対応する上記辺の略全域に沿って延伸していることを特徴とする表示装置。
【請求項２】
上記第１緩衝部材は、上記矩形形状の各辺のうちの一部の辺に沿う部分が当該辺の略全域に沿って延伸しており、他の辺に沿う部分が当該辺の両端部を除く範囲に沿って延伸していることを特徴とする請求項１に記載の表示装置。
【請求項３】
上記第１緩衝部材は、上記矩形形状の各辺に沿う部分が当該各辺の略全域に沿って延伸していることを特徴とする請求項１に記載の表示装置。
【請求項４】
上記第２緩衝部材は、上記第１緩衝部材が上記矩形形状の辺の略全域に沿って延伸している部分では、当該辺の両端部を除く範囲に沿って延伸していることを特徴とする請求項１から３のいずれか１項に記載の表示装置。